(57)【要約】【課題】  きちんとしてかつ整然とした配列で販売用に陳列することができ、販売のために提示される用品の中身の外観を迅速かつ容易に決定することができるスクラップブック用品システムを提供する。【解決手段】  互いに相対的に折り曲げ可能な少なくとも２つのメインパネル部を含むバックパネル１２と、バックパネル１２に結合された多数の異なるタイプのスクラップブック構成部品とを備えている。多数の異なるタイプのスクラップブック構成部品のうちの各スクラップブック構成部品４６，７８，２６，６０は、バックパネル１２から分離して別途使用するために、バックパネル１２から手動で分離可能となっている。【選択図】        図５
2005324550.tif 000002
【特許請求の範囲】
【請求項１】
互いに相対的に折り曲げ可能な少なくとも２つのメインパネル部を含むバックパネルと、
前記バックパネルに結合された多数の異なるタイプのスクラップブック構成部品とを備え、
前記多数の異なるタイプのスクラップブック構成部品のうちの各スクラップブック構成部品は、前記バックパネルから分離して別途使用するために、前記バックパネルから手動で分離可能となっていることを特徴とするスクラップブック用品システム。
【請求項２】
前記バックパネルは、開いた位置と閉じた位置との間で回転自在であり、
前記バックパネルに結合された前記異なるタイプの各スクラップブック構成部品の少なくとも１つは、前記バックパネルが前記開いた位置にあるときに同時に視認可能であることを特徴とする請求項１に記載のスクラップブック用品システム。
【請求項３】
前記バックパネルは、前記閉じた位置にあるときに、前記スクラップブック構成部品の全てが視認されるのを防止するようにして、前記バックパネルに結合された前記スクラップブック構成部品の全てを全体的に覆っていることを特徴とする請求項２に記載のスクラップブック用品システム。
【請求項４】
前記多数の異なるタイプのスクラップブック構成部品は、テンプレート、スクラップブックページ、ステッカー、ダイカット形状、筆記道具、裁紙道具、接着剤、無頭くぎ、ボタン、厚紙台、エンボス用道具、繊維、コード、ポケット、シートプロテクタ、写真コーナ、リボン、シークイン、およびタグのうちの少なくとも２つを含んでいることを特徴とする請求項１に記載のスクラップブック用品システム。
【請求項５】
前記多数の異なるタイプのスクラップブック構成部品は、少なくとも４つの異なるタイプのスクラップブック構成部品を含み、
前記バックパネルは、前記バックパネルが折り曲げられていない開いた位置と前記バックパネルが折り曲げられた閉じた位置との間で移動可能であり、
前記少なくとも４つの異なるタイプのスクラップブック構成部品のうちの少なくとも１つは、前記バックパネルが前記開いた位置にあるとき、少なくとも部分的に同時に視認可能であることを特徴とする請求項１に記載のスクラップブック用品システム。
【請求項６】
前記バックパネルに結合された前記スクラップブック構成部品の全ては、前記バックパネルが前記閉じた状態にあるとき、視認が防止されていることを特徴とする請求項５に記載のスクラップブック用品システム。
【請求項７】
前記バックパネルに結合されるとともに、前記閉じた位置に前記バックパネルを保持するための封止機構を備えたことを特徴とする請求項６に記載のスクラップブック用品システム。
【請求項８】
前記バックパネルは、中央メインパネル部、左メインパネル部、および右メインパネル部を含む少なくとも３つのメインパネル部を有し、
前記左メインパネル部と前記右メインパネル部は、前記中央メインパネルの両側に回転自在に結合され、
前記左メインパネル部と前記右メインパネル部は、前記バックパネルを閉じた位置に移動させるために前記中央メインパネル部に対して折り曲げ可能であり、
前記左メインパネル部と前記右メインパネル部は、前記バックパネルが閉じた位置にあるときに、少なくとも部分的に前記バックパネルを覆っていることを特徴とする請求項６に記載のスクラップブック用品システム。
【請求項９】
前記スクラップブック構成部品の少なくとも１つは、前記バックパネルが前記開いた位置にあるとき、前記少なくとも３つのメインパネル部のそれぞれの上に位置することを特徴とする請求項８に記載のスクラップブック用品システム。
【請求項１０】
前記バックパネルは、２つの端パネル部を含み、
前記各端パネル部は、左メインパネル部および右メインパネル部の異なる部分に回転自在に結合され、
前記各端パネル部は、前記関連付けられた左メインパネル部あるいは右メインパネル部に対して折り曲げ可能であることを特徴とする請求項９に記載のスクラップブック用品システム。
【請求項１１】
前記バックパネルは、前記３つのメインパネル部を分離する２つのメイン折目を含み、
前記各スクラップブック構成部品は、前記バックパネルに結合されているか、あるいは、前記２つのメイン折目のうちの１つに近接していることを特徴とする請求項８に記載のスクラップブック用品システム。
【請求項１２】
前記多数の異なるタイプのスクラップブック構成部品は、略１２インチ×略１２インチの面積を有する四角形状のスクラップブックページを１組含んでいることを特徴とする請求項１１に記載のスクラップブック用品システム。
【請求項１３】
前記各スクラップブックページは、引裂き案内線に沿って前記バックパネルに結合されていることを特徴とする請求項１２に記載のスクラップブック用品システム。
【請求項１４】
前記多数の異なるタイプのスクラップブック構成部品は、１組のダイカット形状を含み、
前記１組のスクラップブックページが前記１組のダイカット形状と前記３つのメインパネル部のうちの１つとの間に位置するように、前記１組のダイカット形状は、共に合わされ、前記１組のスクラップブックページの上に位置していることを特徴とする請求項１１に記載のスクラップブック用品システム。
【請求項１５】
前記１組のダイカット形状は、頂部と、底部と、前記頂部と前記底部の間に形成された折目とを含むダイカットシートに形成され、
前記１組のスクラップブックページは、前記ダイカットシートの前記頂部と前記底部との間に位置していることを特徴とする請求項１４に記載のスクラップブック用品システム。
【請求項１６】
前記端パネル部の少なくとも１つは、テンプレートを含み、
前記テンプレートは、前記多数の異なるタイプのスクラップブック構成部品の１つであることを特徴とする請求項１０に記載のスクラップブック用品システム。
【請求項１７】
前記テンプレートは、テンプレート引裂き案内線に沿ってバックシートに結合され、
ユーザは、前記バックシートから前記テンプレートを分離するために、前記テンプレート引裂き案内線に沿って引き裂くことができることを特徴とする請求項１６に記載のスクラップブック用品システム。
【請求項１８】
前記多数の異なるタイプのスクラップブック構成部品は、１組のステッカーシートを含んでいることを特徴とする請求項１に記載のスクラップブック用品システム。
【請求項１９】
前記１組のステッカーシートは、１組のステッカーパッケージを有し、
前記各ステッカーパッケージは、表面にステッカーを有している第１ラベルシート部と、表面にステッカーを有している第２ラベルシート部とを有し、
前記第１，第２ラベルシート部が離間して前記第１，第２ラベルシート部の間に隙間が形成されるように、前記第１，第２ラベルシート部がクリアパッケージの内側に共に設けられ、
前記クリアパッケージは、前記隙間において、前記バックパネルと結合していることを特徴とする請求項１８に記載のスクラップブック用品システム。
【請求項２０】
互いに相対的に折り曲げ可能な少なくとも２つのメインパネル部を含むバックパネルと、
前記バックパネルの内側表面に結合された多数のタイプのスクラップブック構成部品とを備え、
前記多数のタイプのスクラップブック構成部品は、エンド・ユーザによる購入後、前記バックパネルから分離して別途使用するために、前記バックパネルから手動で分離可能であり、
前記多数のタイプの各スクラップブック構成部品のうちの少なくとも１つの代表的なスクラップブック構成部品は、前記バックパネルの操作および閲覧時に、潜在的な購買者にとって視認可能であることを特徴とするスクラップブック用品システム。
【請求項２１】
システムを提供し、提供されたシステムを販売用に陳列するスクラップブック用品の販売方法において、
前記提供されたシステムは、互いに相対的に折り曲げ可能な少なくとも２つのメインパネル部を含むバックパネルと、前記バックパネルの内側表面に結合された多数のタイプのスクラップブック構成部品とを備え、前記多数のタイプのスクラップブック構成部品は、エンド・ユーザによる購入後、前記バックパネルから分離して別途使用するために、前記バックパネルから手動で分離可能であり、前記多数のタイプの各スクラップブック構成部品のうちの少なくとも１つの代表的なスクラップブック構成部品は、前記バックパネルの操作および閲覧時、潜在的な購買者にとって視認可能であり、
前記システムの陳列では、潜在的な購買者が前記２つのメインパネル部を折り曲げたり開いたりすることができ、かつ前記多数のタイプのスクラップブック構成部品を閲覧することができることを特徴とするスクラップブック用品の販売方法。
【発明の詳細な説明】
【技術分野】
【０００１】
本発明は、バックパネルに結合された異なるタイプのスクラップブック用品あるいはスクラップブック構成部品を含むスクラップブック用品システムおよびスクラップブック用品の販売方法に関する。
【背景技術】
【０００２】
様々な記憶の価値のあるもの、写真、および記念品などの載置、分類、書類添付、保管、仕訳、および装飾を含む活動は、スクラップブック活動として知られ、人気がますます高まっている。スクラップブック利用者は、スクラップブック活動において、多様なスクラップブック用の道具、品物、および構成部品を使用している。これにより、小売販売者は、購買のための様々なスクラップブック用品を多く提供している。
【発明の開示】
【発明が解決しようとする課題】
【０００３】
ところで、ある小売販売者は、購買のための多くのスクラップブック用品をユニットとしてバッグに緩く梱包する。しかしながら、このようなスクラップブック用品の梱包では外観が乱れてしまう。また、そのような梱包の中身の外観を迅速かつ容易に決定することは、購買者にとって困難である。
【０００４】
したがって、本発明は、上記問題に鑑みてなされたもので、販売用のスクラップブック用品を陳列するためのシステムの改良技術を提供することを目的としている。
【課題を解決するための手段】
【０００５】
本発明は、きちんとしてかつ整然とした配列で販売用のスクラップブック用品を提供することができ、販売用のスクラップブック用品の中身の外観を迅速かつ容易に決定することができるスクラップブック用品システムである。特に、一実施形態において、本発明は、互いに相対的に折り曲げ可能な少なくとも２つのメインパネル部を含むバックパネルと、バックパネルに結合された多数の異なるタイプのスクラップブック構成部品とを備えている。多数の異なるタイプのスクラップブック構成部品のうちの各スクラップブック構成部品は、バックパネルから分離して別途使用するために、バックパネルから手動で分離可能となっている。
【０００６】
他の実施形態において、本発明は、互いに相対的に折り曲げ可能な少なくとも２つのメインパネル部を含むバックパネルと、バックパネルの内側表面に結合された多数のタイプのスクラップブック構成部品とを備えているシステムを提供するスクラップブック用品の販売方法である。多数のタイプのスクラップブック構成部品は、エンド・ユーザによる購入後、バックパネルから分離して別途使用するために、バックパネルから手動で分離可能である。多数のタイプの各スクラップブック構成部品のうちの少なくとも１つの代表的なスクラップブック構成部品は、バックパネルの操作および閲覧時、潜在的な購買者にとって視認可能である。さらに、スクラップブック用品の販売方法は、潜在的な購買者が２つのメインパネル部を折り曲げたり開いたりすることができ、かつ多数のタイプのスクラップブック構成部品を閲覧することができるように小売り販売用にシステムを陳列することを含む。
【０００７】
本発明の他の目的および利点は、以下の明細書の記載と図面の記載により明らかであろう。
【発明の効果】
【０００８】
本発明のスクラップブック用品システムまたはスクラップブック用品の販売方法によれば、きちんとしてかつ整然とした配列で販売用のスクラップブック用品を提供することができ、販売用のスクラップブック用品の中身の外観を迅速かつ容易に決定することができる等の効果が得られる。
【発明を実施するための最良の形態】
【０００９】
図１に示すように、符号１０は、本発明の一実施形態に係るスクラップブック用品システムである。スクラップブック用品システム１０は、バックパネル（back panel）１２を備えている。バックパネル１２は、中央メインパネル部１４と、折目線（もしくはヒンジ線）２０に沿って中央メインパネル部１４に回転自在に取り付けられた左メインパネル部１６と、折目線（もしくはヒンジ線）２２に沿って中央メインパネル部１４の反対側に回転自在に結合された右メインパネル部１８とを有している。バックパネル１２の外側表面は、図示しないが、様々な装飾用模様、販売促進用模様、広告文、使用説明書、およびスクラップブックのための情報とヒントを有してもよい。
【００１０】
図５に最も良く示すように、バックパネル１２は、さらに一対の端パネル部２４，２６を備えている。左端パネル部２４は、折目線（もしくはヒンジ線）２８に沿って左メインパネル部１６に回転自在に結合され、右端パネル部２６は、折目線（もしくはヒンジ線）３０に沿って右メインパネル部１８に回転自在に結合されている。各パネル部１４，１６，１８，２４，２６とバックパネル１２は上面視で、全体として矩形状をなしているのがよい。バックパネル１２は、紙、板紙、厚紙（cardboard）、プラスチック、あるいは種々の適切な材料から構成されていてもよい。左端パネル部２４の内側表面は、様々な販売促進用あるいは説明用の模様や、広告文３２（図２，図３参照）を有していてもよい。当然のことながら広告文３２のテキストおよび内容は、図示のものに限定されない。加えて、全てのパネル部１４，１６，１８，２４（それに加え、必要に応じてパネル部２６）の両側は、様々な装飾用模様、販売促進用模様、広告文、使用説明書、およびスクラップのための情報とヒント（図示略）を有してもよい。
【００１１】
バックパネル１２は、各メインパネル部１４，１６，１８が、開いて平坦で、互いに平行で、互いに重なり合わないような開いた位置（もしくは折り曲げられていない位置）（図２〜図４参照）に移動したり、その開いた位置に留まってもよい。また、バックパネル１２は、端パネル部２４，２６の両方が完全に開いた状態にあるような拡げられた位置（図５参照）に移動可能である。さらに、バックパネル１２は、端パネル部２４，２６が左メインパネル部１６および右メインパネル部１８の各々に対して折り曲げられ、かつ左メインパネル部１６および右メインパネル部１８が中央メインパネル部１４に対して折り曲げられているような位置（図１参照）に移動可能である。
【００１２】
システム１０が閉じた位置にあるとき、左メインパネル部１６および右メインパネル部１８は少なくとも部分的に重なり合う。図示の形態では、左メインパネル部１６および右メインパネル部１８は、システム１０が閉じた位置にあるときに、左メインパネル部１６および右メインパネル部１８が完全に重なり合わないように中央メインパネル部１４の幅よりも小さな幅（すなわち左右方向）を有している。図示の形態では、左メインパネル部１６は、右メインパネル部１８の上に位置するように配置されている。なお、このような配置は、必要に応じて逆にしてもよい。
【００１３】
右端パネル部２６は、符号３６で示されるテンプレートを有している。テンプレート３６は、切取り点線（もしくは引裂き案内線）３８に沿って右メインパネル部１８に結合されている。テンプレート３６は、そこに形成された１組の開口（もしくはカットアウト（cut-out））３９を有していてもよい。図示の形態では、開口３９は、１組の直線、波線、弧等として形成されている。開口３９は、そこを通じてペンや鉛筆などの先端を受けることができ、これにより、筆記中にその形状に沿って筆記具を案内することができる。当然のことながら、開口３９は、図示されている以外にも種々の形状や配置を有してもよい。テンプレート３６の外側端は、ユーザに付加的な筆記案内を提供するためにスカラップ形状（scalloped shape）や装飾用形状を有している。
【００１４】
図４に示すように、切取り点線３８に沿ってバックパネル１２からテンプレート３６を手で引き裂いて離すことにより、別途使用可能な構成部品としてテンプレート３６を用いることができる。図２，５に最もよく示すように、切取り点線３８は、右端パネル部２６上に位置し、折目線３０から少し離間している。これにより、切取り点線３８は、右端パネル部２６が内側へ折り曲げられるときに、それに沿った不注意な引き裂きが生じないよう保護されている。
【００１５】
システム１０は、符号４０で示される１組のステッカーシート（sticker sheet）やステッカーパッケージ（sticker package）を有してもよい。各ステッカーパッケージ４０は、そこに位置する１組のステッカー（sticker）４４を有する第１，第２ラベルシート部４２を備えてもよい。特に、各ラベルシート部４２は、いずれかの側に接着シートを有するリリース線を備えてもよい。接着シートには、ダイカットステッカー形状（die-cut sticker shape）４４が形成され、ダイカットステッカー形状４４は、一般的な手法によるステッカーシートの形成のためのものである。図２〜図５に示すステッカー形状４４は、ステッカーの例として様々な装飾用形状を有してもよい。なお、ステッカーシート上に設けられたステッカーの形状や色は図示されるものに限られなく、種々のものを用いてもよい。
【００１６】
図５に示される形態は、積み重ねられた３つのステッカーパッケージ４６を備え、各ステッカーパッケージ４６は、並んで配置された第１，第２ラベルシート部４２を有している。各ステッカーパッケージ４６は、セロハンバッグ（cellophane bag）やラップなどのクリアパッケージ（clear package）４８を有し、クリアパッケージ４８は、第１，第２ラベルシート部４２の周囲に取り付けられている。各第１，第２ラベルシート部４２は、各ステッカーパッケージ４６が第１，第２ラベルシート部４２の間に延在したヒンジ線５０を有するように、互いに離間してもよい。なお、必要に応じて、ステッカーパッケージ４６および／またはラベルシート部４２は、ここで開示されている以外の種々の態様を有してもよい。
【００１７】
図示の形態では、ステッカーパッケージ４６は、本のように（もしくは各ヒンジライン５０が直線状に配列される入れ子の配置のように）積み重ねられている（もしくは配置されている）。図５に示すように、ステッカーシート結合機構５２は、ステッカーパッケージ４６をバックパネル１２のヒンジ線２８に結合させるために、直線状をなすヒンジ線５０を通じて延びている。ステッカーシート結合機構５２としては、中綴じ、ステープル（staple，図５参照）、接着剤、コード、ひも、プロング（prong）や、渦巻き状やコイル状の結合機構等がある。
【００１８】
図示の形態では、各ステッカーパッケージ４６の幅（左右方向）が、その直下に位置しているステッカーパッケージの幅よりも小さくなるように、ステッカーパッケージ４６は段々に積まれた配置あるいは階段状の配置に配列されている。このような態様では、各ステッカーパッケージ４６の外側端（右側端）は突出し、目視可能である。当然のことながら、ステッカーパッケージ４６の数は、図示されている数に限定されなく、図示のものより大きくても小さくてもよい。なお、この場合、２つのステッカーパッケージ４６は少なくとも含まれるようにする。
【００１９】
システム１０は、符号６０で示される１組のスクラップブック用のページやシートを含んでもよい。本実施形態では、スクラップブックページ６０は、標準重量紙からなることができる。なお、スクラップブックページ６０の重量や材料は、これに限定されなく、他のものでもよい。スクラップブックページ６０の数は、１０〜３０ページ程度が好ましいが、任意としてもよい。
【００２０】
図示の形態では、各スクラップブックページ６０は縁飾りを有し、縁飾りは種々のデザインを有することができる。図５に示すように、異なるスクラップブックページは、縁近傍に異なる装飾用模様を有してもよい。なお、スクラップブックページ６０は、そこに図示されているもの以外の異なる装飾用模様を有してもよいし、装飾用形態を有しなくてもよい。スクラップブックページ６０は、外側縁以外の場所（たとえば中央部）に模様を含んでいてもよいし、一側だけに装飾用模様を含んでもよい。スクラップブックページ６０は、様々な色で設けられてもよい。
【００２１】
スクラップブックページ６０は、大きなシート６２の一部分であってもよい。特に、各スクラップブックページ６０は、中央折目線（もしくは折曲げ線）６４に沿って折り曲げられる大きなシート６２の半分でもよい。多数の大きなシート６２は、最も外側の大きなシートが６２ａのラベルが貼られた図５に示すように、折り曲げられて、かつ入れ子になっていてもよい。各大きなシート６２は、一対の平行な切取り点線（もしくは引裂き案内線）６６を有してもよく、切取り点線６６は、関連づけられた中央折目線６４に直近でかつ平行であってもよい。このような態様では、各スクラップブックページ６０は、切取り点線６６に沿って引き裂かれることによって、バックパネル１２から切り離されて別途使用されるスクラップブックページ６０を得ることができる。
【００２２】
切り離された各スクラップブックページ６０は、１２インチ×１２インチ程度の大きさを有してもよい。スクラップブックページ６０は、８１／２インチ×１１インチや、８×８インチであるサイズと形状を有してもよく、あるいは、他のサイズと形状を有してもよい。このような態様では、スクラップブックページ６０は、上記大きさの紙を精密に受けるように作られた標準的なスクラップブッキング・ブック・スリーブ（scrapbooking books sleeve）の状態で使用することができる。
【００２３】
システム１０は、ダイカットシート７０を有してもよい。ダイカットシート７０は、ダイカットシート折目線（もしくは折曲げ線）７２で、頂部７４と底部７６に分けられて折り曲げられる（図５参照）。底部７６は、中央パネル部１４とバックパネル１２に付加的な剛性を与えたり支持したりするように、中央パネル部１４とほぼ同じ大きさを有してもよい。ダイカットシート７０の頂部７４および／または底部７６は、着脱可能に入れ子になっている１組のダイカット形状（もしくは穴あき形状）７８を有してもよい。このような態様では、ダイカット形状７８は、ユーザの筆記を案内する形状を提供するためにダイカットシート７０から分離し、図３に示すように互いに分離することができる。あるダイカット形状７８のいくつか（矩形状の外側面積を有するダイカット形状）は、写真用の装飾用フレームとして使用してもよい。特に、各ダイカット形状は、スクラップブックページに接着されたり写真の上に接着されたりし、これにより写真は、そこの中央開口や窓を通じて視認される。また、ダイカット形状７８は、スクラップブックページに接着可能な装飾用要素として使用してもよい。
【００２４】
図５に示すように、スクラップブックページ６０の積み重ねは、入れ子の形態でダイカットシート７０の折目線７２で受けてもよく、スクラップブックページ６０とダイカットシート７０の組立部品の全体は、様々な取付手段によってバックパネル１２の折曲げ線２２に取り付けられてもよい。図示の形態では、中綴じあるいはステープル８０が示されているが、取付手段として、ステッカーパッケージ４６についての上記記載のなかの結合機構を利用してもよい。さらに、ステープル８０の使用時、ステープル８０は、図５に示すように、スクラップブックページ６０の内側端とダイカットシート７０の中央を通じて延在してもよい。あるいは、ステープル８０は、図６に示すように、スクラップブックページの中央折目線６６を通じて延びてもよい。
【００２５】
図２に示すように、ダイカットシート７０とスクラップブックページ６０との組立時、ダイカットシート７０の頂部７４は、スクラップブックページ６０の最も上のページを部分的に覆い、これにより、その最も上のページの一部は露出している。上記組立時、１組のスクラップブックページ６０が１組の頂部７４のダイカット形状７８と中央メインパネル部１４の間に位置するように、ダイカット形状７８がともに合わされ、頂部７４のダイカット形状が１組のスクラップブックページ６０の上に位置している。
【００２６】
したがって、ステッカーパッケージ４６は、折目線２８において、バックパネル１２に結合され、スクラップブックページ６０とダイカットシート７０は、折目線２２において、バックパネル１２に結合され、テンプレート２６は、折目線３０に近接したバックパネル１２に結合されている。図示の形態では、システム１０が開いた位置にあるとき、各構成部品４６，６０，７０，３６は、３つのメインパネル１４，１６，１８のうちの１つのパネルの上に位置している。システム１０が開いた位置にあるとき、ステッカーパッケージ４６は、端パネル部２４の上に位置している。
【００２７】
図１に示すように、システム１０は、それを開じた位置に維持するための封止機構（closure mechanism）８６を有してもよい。特に、図示の形態では、封止機構８６は、小さなリベット８９により右メインパネル部１８に結合された弾性ひも８８と、左メインパネル部１６に結合されたリベット（もしくはボタン）９０とを有し、弾性ひも８８は、バックパネル１２を閉じた位置に維持するために、ボタン９０の周囲に取付可能である。なお、フック−ループ締結具（たとえば登録商標ＶＥＲＣＯ），締め金，ブラケット，クリップ，マグネット，内部係合形状（interengaging geometries），コード，リボン、弦，弾性しめひも，ボタン，弾性閉包（elastic closure）などを含む多様な保持機構は、上記封止機構８６として使用してもよい。
【００２８】
システム１０は、バックパネル１２に（と特に端（折目線）２０に沿って）結合されているフック９２を有してもよい。ハンガーあるいはそれに類するものは、フック９２を通じて受け入れられ、これによりシステム１０が購買用に陳列される。スクラップブック用品および構成部品とともに利用される絵画や記念品などの損傷を避け、その寿命を長くするために、各パネル１２，１４，１６，１８，２４，２６は、スクラップブック用品および構成部品３６，４６，６０，７０，７８のすべてと同様に酸遊離の紙や材料からなるようにしてもよい。
【００２９】
図６は、本発明の他の実施形態に係るスクラップブック用品システムを表している。図６に示すように、他の実施形態では、ダイカットシート７０は、ステープル８３を介して、折目線７２に沿ってバックパネル１２の折目線２０に取り付けられている。スクラップブックページ６０は、折目線２２に沿ってバックパネル１２に結合された状態が維持されている。なお、その代わりに、スクラップブックページ６０は、折目線２０に沿ってバックパネル１２に結合されてもよい。スクラップブックページ６０は、ダイカットシート７０の頂部７４と底部７６の間に位置してもよい。図６に示す形態では、システム１０が所定の方向と配置を有する場合、相対的に硬くてもよいダイカットシート７０の形状と配置によって、スクラップブックページ６０がバックパネル１２に対して平行に折り曲げられた状態に維持されることを確実にしてもよい。
【００３０】
システム１０の形状と配置は、潜在的な購買者によって迅速でかつ簡単な閲覧を可能にし、これによりシステムの内容が簡単に視認可能となる。特に、ステッカーパッケージ４６の積み重ねられた形状によって、ステッカーパッケージ４６の特徴が、ラベルシート部４２の数と選択されたラベルシート部４２の幾つかと同様に、迅速でかつ簡単に視認されて決定される。さらに、ダイカットシート７０の頂部７４はスクラップブックページ６０の上に位置するから、バックシート１２が開いた位置にあるとき、その頂部７４のダイカット形状７８はユーザに直接提示される。加えて、ダイカットシート７０の頂部７４は、完全にスクラップブックページ６０を覆わない（もしくは重なり合わない）から、下にあるスクラップブックページ６０の少なくとも一部は、潜在的な購買者によって視認可能である。さらに、テンプレート２６は、バックパネル１２が開いた状態にあるとき、潜在的な購買者に目に見えるように提示される。
【００３１】
したがって、実施形態では、各タイプのスクラップブック構成部品４６，７８，２６，６０の少なくとも１つは、バックパネル１２が開いた状態にあるとき、潜在的な購買者に視認可能である。さらに、図示された形態では、バックパネル１２が開いた状態にあるとき、あるいは、潜在的な購買者によって操作されたとき、異なるタイプの各スクラップブック構成部品４６，７８，２６，６０の少なくとも一つは、少なくとも部分的に同時に視認可能である。これに対して、バックパネル１２が閉じた位置に移動したとき、たとえば運搬中や取扱中に、各スクラップブック構成部品４６，７８，２６，６０は視認されなくて、かつ損傷から保護される。各タイプのスクラップブック構成部品４６，７８，２６，６０は、それらをバックパネル１２とは別に使用するために、手動でバックパネル１２から分離可能である。
【００３２】
本発明のシステムは、ステッカーパッケージ４６，スクラップブックページ６０，ダイカット形状７８，およびテンプレート３６を含む様々なスクラップブック構成部品の連結状態で例示されているが、様々なタイプのスクラップブック用品や構成部品もまたシステム１０に用いてもよく、あるいは、様々なタイプのスクラップブック用品や構成部品を上記連結されたスクラップブック構成部品の代わりとしてシステム１０に用いてもよい。たとえば、筆記道具，裁紙道具，接着剤，無頭くぎ（brad），ボタン，厚紙台（cardboard stock），エンボス用道具，繊維，コード，ポケット，シートプロテクタ，写真コーナ，リボン，シークインとタグ（sequin and tag），札入れ，ポケット，タグ，ラベル，封筒，研磨用道具，小さな飾り物（charm），小穴（eyelet），スナップ，ノートカード，ノートパッドが、他のスクラップブック構成部品と同様に挙げられる。さらに、スクラップブック構成部品は、図示されているもの以外にも、様々な形態で配置してもよい。スクラップブック構成部品は、その全てあるいはいくつかが、バックパネル１２が開いた状態にあるときにユーザにとって視認可能であるように、所望の形態に近い状態で配置してもよい。さらに、バックパネル１２は５つのパネルあるいは部位を含むように例示したが、相対的に互いに折り曲げ可能な２つのメインパネル部のみを含むように、必要に応じてそれより多くあるいは少なく含んでもよい。
【００３３】
好ましい実施形態を参照して本発明を詳細に説明したが、本発明の範囲内で変更や変形が可能であるのは明白であろう。
【図面の簡単な説明】
【００３４】
【図１】本発明の一実施形態に係るシステムを表し、閉じた位置にあるシステムの正面斜視図である。
【図２】開いた位置にある図１のシステムの正面斜視図である。
【図３】ダイカット形状が分解状態にある図２のシステムの正面斜視図である。
【図４】バックパネルが拡げられた状態にあるように端パネルが開いた位置へ回転している図２のシステムの正面斜視図である。
【図５】配置や組立部品が例示された図２のシステムの分解正面斜視図である。
【図６】本発明の他の実施形態に係るシステムの分解正面斜視図である。
【符号の説明】
【００３５】
１０…スクラップブック用品システム、１２…バックパネル，バックシート、１４…中央メインパネル部、１６…左メインパネル部、１８…右メインパネル部、２０，２２…折目線（メイン折目）、２４…左端パネル部、２６…右端パネル部、３２…広告文、３６…テンプレート、３８…切取り点線（テンプレート引裂き案内線）、４０…ステッカーパッケージ，ステッカーシート、４６…ステッカーパッケージ、４２…第１ラベルシート部，第２ラベルシート部、４４…ステッカー、４８…クリアパッケージ、６０…スクラップブックページ、６６…切取り点線（引裂き案内線）、７０…ダイカットシート、７２…ダイカットシート折目線（折目）、７４…頂部、７６…底部、７８…ダイカット形状、８６…封止機構、９２…フック
【図１】
2005324550.tif 000003
【図２】
2005324550.tif 000004
【図３】
2005324550.tif 000005
【図４】
2005324550.tif 000006
【図５】
2005324550.tif 000007
【図６】
2005324550.tif 000008